(57)【要約】【課題】構造が簡単で製造に要するコストが少なくてすみ、さらにガイドレールの小形化とコンパクト化を同時に実現して全体コストを削減できる、２輪構造のランナーを備えた折り戸を提供する。【解決手段】上側のガイドレール２と、吊車型のランナー６と、ランナー６で吊持される戸パネルＰ１・Ｐ２を備えている。ランナー６は、ランナー軸１３と、ランナー軸１３で独立回転可能に支持される上ローラー１４および下ローラー１５とで構成する。ガイドレール２はレール本体８と、前後一対のレール壁９とで構成する。折り戸開閉時のランナー６は、上ローラー１４が一方のレール壁９で支持され、傾動モーメントを受けて傾動した下ローラー１５が他方のレール壁９のローラー受部１０で支持される。これにより、傾動姿勢に保持されたランナー６を折り戸の開閉動作に追随して開閉移動させる。【選択図】図１
2014118679.tif 000002
【特許請求の範囲】
【請求項１】
開口枠（１）の上部に配置されるガイドレール（２）と、ガイドレール（２）で移行案内される複数の吊車型のランナー（６）と、ランナー（６）で吊持される戸パネル（Ｐ１・Ｐ２）とを備えている折り戸であって、
ランナー（６）は、戸パネル（Ｐ１・Ｐ２）を吊持するランナー軸（１３）と、ランナー軸（１３）の上下に配置されて、それぞれ独立回転可能に支持される上ローラー（１４）および下ローラー（１５）とで２輪構造のランナーとして構成されており、
ガイドレール（２）は、下向きに開口するレール本体（８）と、レール本体（８）の前後壁の少なくとも一方に張出されて上ローラー（１４）を回転自在に案内支持するレール壁（９）と、該レール壁（９）と対向するレール内面に設けられて下ローラー（１５）を回転自在に案内支持するローラー受部（１０）とを備えており、
折り戸開閉時のランナー（６）は、上ローラー（１４）がレール壁（９）で支持され、傾動モーメントを受けて傾動した下ローラー（１５）がローラー受部（１０）で支持されており、
ランナー（６）が傾動姿勢に保持された状態で戸パネル（Ｐ１・Ｐ２）の開閉動作に追随して開閉移動することを特徴とする折り戸。
【請求項２】
レール本体（８）の前後壁に一対のレール壁（９）が前後に対向する状態で張出されており、
戸パネル（Ｐ１・Ｐ２）の開閉時に、上ローラー（１４）が前後いずれか一方のレール壁（９）で支持され、下ローラー（１５）が他方のレール壁（９）に設けたローラー受部（１０）で支持されている請求項１に記載の折り戸。
【請求項３】
上ローラー（１４）を支持するレール壁（９）と対向するレール内面に、下ローラー（１５）の筒壁（１８）の周面を支持するローラー受部（１０）が設けてある請求項１に記載の折り戸。
【請求項４】
レール本体（８）の前後壁の開口面の近傍に一対のレール壁（９）が配置されて、前後のレール壁（９）より上側に上ローラー（１４）を収容するローラー溝（１１）が形成されており、
ランナー（６）をガイドレール（２）に組込んだ状態において、下ローラー（１５）の殆どの部分がガイドレール（２）の下面側に露出している請求項１から３のいずれかひとつに記載の折り戸。
【請求項５】
上ローラー（１４）および下ローラー（１５）が、レール壁（９）ないしローラー受部（１０）で支持されるローラー本体（１６）と、ローラー本体（１６）の内部に配置されるベアリング（１７）を備えており、
上ローラー（１４）と下ローラー（１５）が、同形、同大の共通部品で構成してある請求項１から４のいずれかひとつに記載の折り戸。
【請求項６】
ローラー本体（１６）は、ベアリング（１７）を収容する筒壁（１８）と、筒壁（１８）の側からランナー軸（１３）へ向かって傾斜する筒端壁（１９）とを一体に備えており、
上ローラー（１４）を支持するレール壁（９）と、下ローラー（１５）を支持するレール壁（９）のそれぞれが、レール本体（８）の前後壁から水平に張り出されており、
上ローラー（１４）と下ローラー（１５）とは、ランナー軸（１３）に外嵌したカラー（２１）を間にして上下に分離配置されており、
上ローラー（１４）の筒端壁（１９）がレール壁（９）の突端上隅で支持され、下ローラー（１５）の筒端壁（１９）の転動部（２０）がレール壁（９）の突端下隅のローラー受部（１０）で支持してある請求項５に記載の折り戸。
【請求項７】
戸パネル（Ｐ１・Ｐ２）と床面に、戸パネル（Ｐ１・Ｐ２）の傾動を規制する振止具（７）と、振止具（７）を移行案内するレール体（３）が設けられており、
レール体（３）と振止具（７）とが接当して、戸パネル（Ｐ１・Ｐ２）の傾動を規制するときの規制角度を（θ１）とし、下ローラー（１５）がローラー受部（１０）で回転可能に案内支持されるときのランナー軸（１３）の傾動角度を（θ２）とするとき、不等式（θ２＜＝θ１）を満足するように規制角度（θ１）と傾動角度（θ２）が設定してある請求項１から６のいずれかひとつに記載の折り戸。
【発明の詳細な説明】
【技術分野】
【０００１】
本発明は、戸パネルが２輪構造の吊車型のランナーで支持してある折り戸に関する。
【背景技術】
【０００２】
折り戸においては、戸パネルを吊り車型のランナーで支持しており、この種のランナーは４輪構造のランナーとして構成するのが一般的である。これは、戸パネルを開閉する際にランナーに大きな傾動モーメントが作用するのを考慮したものであり、４輪構造のランナーを使用することで、戸パネルの傾動を抑止して開閉操作を円滑化するためである。
【０００３】
本発明においては、垂直のランナー軸の上下にローラーを上下２段に配置した２輪構造のランナーで戸パネルを支持するが、この種のランナーは従来から広く知られている（特許文献１）。そこでは、ランナーを移行案内するガイドレールの前後壁にリブ状のレール壁を上下２段ずつ設け、各ローラーの下面を上下のレール壁の上面で支持している。例えば、上ローラーを前上側のレール壁で支持する場合には、下ローラーを後下側のレール壁で支持して、上下のローラーが互いに逆向きに回転しながらガイドレール内を移動する構造になっている。同様の２輪構造のランナーは特許文献２にも見ることができる。
【先行技術文献】
【特許文献】
【０００４】
【特許文献１】特開平２−１１２５７８号公報（第３頁左下欄１５行〜右下欄１１行、第１図）
【特許文献２】特公平７−９６５号公報（第３頁左欄２行〜右欄１０行、第５図）
【発明の概要】
【発明が解決しようとする課題】
【０００５】
特許文献１、２のランナーによれば、垂直のランナー軸と、ランナー軸の上下に配置される上下一対のローラーとでランナーを構成するので、４輪構造のランナーに比べてランナー構造を簡素化して構成部品数を削減し、その生産コストを削減できる。また、ランナーが簡素化されるのに伴って、ガイドレールの前後幅を小さくして、ガイドレールのコストダウンにも寄与できる。しかし、レール本体の内部の上下に上ローラー用のレール壁と、下ローラー用のレール壁を設ける必要があるので、ガイドレールの上下寸法を小さくすることに限界がある。一対のローラーの上下隙間が大きいことも、ガイドレールの小形化を阻む一因になっている。
【０００６】
折り戸においては、戸パネルを開閉する際にランナーに大きな傾動モーメントが作用する。そのため、２輪構造のランナーで折り戸の戸パネルを支持すると、戸パネルの開閉時にランナー軸が大きく傾動してしまう。ランナー軸が傾動した状態では、下ローラーがレール壁から浮き離れるため、上ランナーが蛇行するなどランナーの走行状態が不安定になる。また、上ローラーおよび下ローラーの周面の複数個所がガイドレールに接触して、上下のローラーを円滑に回転できなくなり、回転できない状態のままランナーが引き摺られて、折り戸を安定した状態で軽快に開閉できない。さらに、開口面を全開放した状態においては、２枚分の戸パネルの傾動モーメントを受けたローラーが、上下のレール壁に強く押付けられてこじれた状態になり、戸パネルを円滑に閉じ操作できなくなる。
【０００７】
本発明の目的は、構造の簡素化と小形化を同時に実現できる２輪構造のランナーの特長を受け継ぎながら、上下のローラーを常に円滑に回転移動させて、戸パネルを安定した状態で軽快に開閉できる折り戸を提供することにある。
本発明の目的は、４輪構造のランナーに比べて構造が簡単で、製造に要するコストが少なくてすみ、さらにガイドレールの小形化を同時に実現して全体コストを削減できる、２輪構造のランナーを備えた折り戸を提供することにある。
【課題を解決するための手段】
【０００８】
本発明に係る折り戸は、開口枠１の上部に配置されるガイドレール２と、ガイドレール２で移行案内される吊車型のランナー６と、ランナー６で吊持される戸パネルＰ１・Ｐ２とを備えている。ランナー６は、戸パネルＰ１・Ｐ２を吊持するランナー軸１３と、ランナー軸１３の上下に隣接配置されて、それぞれ独立回転可能に支持される上ローラー１４および下ローラー１５とで２輪構造のランナーとして構成してある。ガイドレール２は、下向きに開口するレール本体８と、レール本体８の前後壁の少なくとも一方に張出されて上ローラー１４を回転自在に案内支持するレール壁９を備えている。さらに、先のレール壁９と対向するレール内面に設けられて下ローラー１５を回転自在に案内支持するローラー受部１０を備えている。折り戸開閉時のランナー６は、上ローラー１４がレール壁９で支持され、傾動モーメントを受けて傾動した下ローラー１５がローラー受部１０で支持される。これにより、ランナー６が傾動姿勢に保持された状態で戸パネルＰ１・Ｐ２の開閉動作に追随して開閉移動することを特徴とする。
【０００９】
図１に示すように、レール本体８の前後壁に一対のレール壁９を前後に対向する状態で張出す。戸パネルＰ１・Ｐ２の開閉時に、上ローラー１４を前後いずれか一方のレール壁９で支持し、下ローラー１５を他方のレール壁９に設けたローラー受部１０で支持する。一対のレール壁９は、図１に示すように、レール本体８の前後壁の同じ高さ位置に形成してあってもよいし図１２に示すように、段違い状に形成してあってもよい。
【００１０】
図１０に示すように、上ローラー１４を支持するレール壁９と対向するレール内面に、下ローラー１５の筒壁１８の周面を支持するローラー受部１０を設ける。
【００１１】
レール本体８の前後壁の開口面の近傍に一対のレール壁９を配置して、前後のレール壁９より上側に上ローラー１４を収容するローラー溝１１を形成する。ランナー６をガイドレール２に組込んだ状態において、下ローラー１５の殆どの部分をガイドレール２の下面側に露出させる。
【００１２】
図４に示すように、上ローラー１４および下ローラー１５は、レール壁９ないしローラー受部１０で支持されるローラー本体１６と、ローラー本体１６の内部に配置されるベアリング１７を備えている。上ローラー１４と下ローラー１５は、同形、同大の共通部品で構成する。
【００１３】
ローラー本体１６は、ベアリング１７を収容する筒壁１８と、筒壁１８の側からランナー軸１３へ向かって傾斜する筒端壁１９とを一体に備えている。上ローラー１４を支持するレール壁９と、下ローラー１５を支持するレール壁９のそれぞれを、レール本体８の前後壁から水平に張り出す。上ローラー１４と下ローラー１５とは、ランナー軸１３に外嵌したカラー２１を間にして上下に分離配置してある。上ローラー１４の筒端壁１９をレール壁９の突端上隅で支持し、下ローラー１５の筒端壁１９の転動部２０をレール壁９の突端下隅のローラー受部１０で支持する。
【００１４】
図３に示すように、戸パネルＰ１・Ｐ２と床面に、戸パネルＰ１・Ｐ２の傾動を規制する振止具７と、振止具７を移行案内するレール体３を設ける。レール体３と振止具７とが接当して、戸パネルＰ１・Ｐ２の傾動を規制するときの規制角度をθ１とし、下ローラー１５がローラー受部１０で回転可能に案内支持されるときのランナー軸１３の傾動角度をθ２とするとき、不等式（θ２＜＝θ１）を満足するように規制角度θ１と傾動角度θ２を設定する。
【発明の効果】
【００１５】
本発明においては、戸パネルＰ１・Ｐ２を吊持するランナー軸１３と、同軸１３で独立回転可能に支持される上ローラー１４および下ローラー１５とでランナー６を２輪構造のランナーとして構成した。また、ガイドレール２のレール本体８の前後壁の少なくとも一方に上ローラー１４用のレール壁９を設け、このレール壁９と対向するレール内面に下ローラー１５用のローラー受部１０を設けるようにした。そのうえで、開閉時における戸パネルＰ１・Ｐ２の荷重を上ローラー１４を介してレール壁９に支持させ、ランナー６に作用する傾動モーメントを下ローラー１５を介してローラー受部１０に支持させるようにした。
【００１６】
上記のように、本発明においてはランナー６に傾動モーメントが作用することを利用して下ローラー１５をローラー受部１０に接当させるので、両ローラー１４・１５を確実に回転させながら、折り戸の開閉動作に追随してランナー６を円滑に開閉移動させることができる。従って、２輪構造のランナー６で戸パネルＰ１・Ｐ２を支持しているにも拘らず、下ローラー１５がローラー受部１０から浮離れたり、ランナー６が回転できない状態のまま引き摺られるのを一掃して、戸パネルＰ１・Ｐ２を常に安定した状態で軽快に開閉できる。
【００１７】
また、２輪構造のランナー６で戸パネルＰ１・Ｐ２を吊持するので、４輪構造のランナーに比べてランナー６の構造の簡素化と小形化を実現できるうえ、ランナー６の小形化に伴ってガイドレール２の前後幅を小さくできる。さらに、上ローラー１４をレール壁９で移行案内し、下ローラー１５をローラー受部１０で移行案内するので、レール壁を上下２段に設ける必要があった従来の２輪構造用のガイドレールに比べて、ガイドレール２の上下寸法を小さくできる。従って、ランナー６の構造の簡素化と小形化に伴うコスト削減効果と、ガイドレール２の小形化に伴うコスト削減効果とによって、折り戸の全体コストを削減できる。
【００１８】
上ローラー１４を一方のレール壁９で支持し、下ローラー１５を他方のレール壁９のローラー受部１０で支持すると、ランナー６に作用する傾動モーメントをローラー受部１０で受止めて、両ローラー１４・１５を確実に回転させながら、ランナー６を円滑に開閉移動させることができる。また、前後一対のレール壁９で上ローラー１４と下ローラー１５を回転自在に案内支持するのでガイドレール２の構造に無駄がなく、しかも、各レール壁９でガイドレール２の構造強度を増強して、その耐久性を向上できる。
【００１９】
レール内面にローラー受部１０を設け、同受部１０で傾動した状態の下ローラー１５の筒壁１８の周面を支持すると、下ローラー１５を支持するためのレール壁９を省略することができるので、その分だけガイドレール２の構造をさらに簡素化して低コスト化できる。また、ランナー軸１３の中心から最も離れた下ローラー１５の筒壁１８の周面をローラー受部１０で支持するので、ローラー受部１０に作用する押圧力をより小さなものとして、ローラー受部１０が早期に損耗するのを防止でき、その分だけガイドレール２の耐久性を向上できる。
【００２０】
レール本体８の開口面の近傍に一対のレール壁９を配置し、ランナー６をガイドレール２に組込んだ状態において、下ローラー１５の殆どの部分をガイドレール２の下面側に露出させるようにすると、ガイドレール２の上下寸法をさらに小さくすることができる。詳しくは、レール内部に上下２段のレール壁を設ける必要があった従来のガイドレールに比べて、ガイドレール２の上下寸法を半分程度にまで小さくでき、その分だけガイドレール２を低コスト化できる。また、レール壁９より上側のローラー溝１１に戸パネルの荷重を負担する上ローラー１４を収容するので、ランナー６が開閉移動するときの転動音がガイドレール２の外へ放散されるのを極力避けて、折り戸の開閉騒音を低減して静音化できる。
【００２１】
ローラー本体１６と、その内部に配置したベアリング１７で、上ローラー１４および下ローラー１５を構成すると、両ローラー１４・１５が回転するときの摩擦抵抗をベアリング１７で軽減して、ランナー６の開閉移動をさらに軽快に行うことができる。また、上ローラー１４と下ローラー１５を同形、同大の共通部品で構成することにより、ランナー６の構造をさらに簡素化して、その製造に要するコストを削減することができる。
【００２２】
上ローラー１４の筒端壁１９を水平のレール壁９の突端上隅で支持し、下ローラー１５の筒端壁１９の転動部２０を水平のレール壁９の突端下隅のローラー受部１０で支持すると、両ローラー１４・１５の上下方向の隣接隙間を小さくすることができる。また、両ローラー１４・１５の上下方向の隣接隙間を小さくした分だけランナー６を小形化できるうえ、ガイドレール２も小形できる。因みに、図１１に示すように、レール壁９が断面くさび状に形成してあり、その基端寄りで両ローラー１４・１５の周縁隅部を支持する場合には、上下のローラー１４・１５の間にぶ厚いレール壁９を収容できる大きな隙間を確保しなければならない。そのため、両ローラー１４・１５の上下方向の隣接隙間を小さくすることはできない。
【００２３】
振止具７による規制角度θ１と、ローラー受部１０によるランナー軸１３の傾動角度θ２が、不等式（θ２＜＝θ１）を満足するように設定してあると、ランナー軸１３が傾動するとき、下ローラー１５をローラー受部１０で常に確実に受止めることが可能となる。これに伴い、上下のローラー１４・１５をレール壁９とローラー受部１０とで支持して、両ローラー１４・１５を確実に転動させることができるので、ランナー６を安定した状態で開閉移動させることができる。なお、傾動角度θ２が規制角度θ１より大きいと、振止具７とレール体３とが先当りするため、ランナー６は、下ローラー１５がローラー受部１０で受止められない、非常に不安定な状態のままで開閉移動するおそれがある。
【図面の簡単な説明】
【００２４】
【図１】本発明に係るランナーおよびガイドレールの縦断側面図である。
【図２】折り戸の正面図である。
【図３】図２におけるＡ−Ａ線断面図である。
【図４】本発明に係るランナーおよびガイドレールの分解斜視図である。
【図５】戸パネルをランナー軸に吊込むための吊込みユニットの分解斜視図である。
【図６】図２におけるＢ−Ｂ線断面図である。
【図７】戸パネルの吊込み状態を示す正面図と平面図である。
【図８】折戸の吊り込み手順を示す横断平面図である。
【図９】ランナー軸の傾動角度と、振止具による規制角度を示す説明図である。
【図１０】ランナーおよびガイドレールの別の実施例を示す縦断側面図である。
【図１１】ランナーおよびガイドレールのさらに別の実施例を示す縦断側面図である。
【図１２】ランナーおよびガイドレールのさらに別の実施例を示す縦断側面図である。
【図１３】ランナーおよびガイドレールのさらに別の実施例を示す縦断側面図である。
【発明を実施するための形態】
【００２５】
（実施例）  図１ないし図９は、本発明に係る折り戸をフリー折り戸に適用した実施例を示している。なお、本発明における前後、左右、上下とは、図２および図３に示す交差矢印と、各矢印の近傍に表記した前後、左右、上下の表示に従う。
【００２６】
図２においてフリー折り戸は、左右一対のパネル対で構成してあり、各パネル対は開口枠１の上下に配置したガイドレール２およびガイドレール（レール体）３で折りたたみ開閉自在に案内支持してある。各パネル対は２個の戸パネルＰ１・Ｐ２の隣接縁どうしをヒンジ４で連結して構成してあり、戸パネルＰ１・Ｐ２を折りたたんだ状態では、戸パネルＰ１・Ｐ２の殆どがガイドレール２の真下の垂直平面よりも前方へ突出する。この状態のパネル対はガイドレール２・３に沿って左右方向へ自由に移動操作できる。パネル対を全展開した状態において開口中央で隣接する戸パネルＰ２の屈折縁の近傍には、パネル対を開閉操作する把手５が固定してある。ヒンジ４の内部には、全展開状態と半展開状態を維持するためのクリック機構が組み込んである。各パネル対の両側端の上下には、ガイドレール２・３で移行案内されるランナー６と振止具７とが組み込んである。
【００２７】
図４において、ガイドレール２は下向きに開口する断面Ｃ字状のレール本体８と、レール本体８の前後壁に対向する状態で張出される一対のレール壁９・９とを一体に備えたアルミニウム条材からなる。前後一対のレール壁９は、レール本体８の前後壁の開口面の近傍に、前後に対向する状態で水平に張出し形成してある。両レール壁９は同じ高さ位置に形成してあり、これらレール壁９より上側に、後述する上ローラー１４を収容するローラー溝１１が区画されている。符号１０は下ローラー１５を回転可能に案内支持するローラー受部であり、この実施例の場合には、後壁側のレール壁９の突端の下隅部分がローラー受部１０となる（図１参照）。
【００２８】
ランナー６は、戸パネルＰ１・Ｐ２を吊持するランナー軸１３と、ランナー軸１３の上下に隣接配置されて、それぞれ独立回転可能に支持される上ローラー１４および下ローラー１５とで２輪構造のランナーとして構成してある。上ローラー１４および下ローラー１５は、レール壁９およびローラー受部１０で支持されるローラー本体１６と、ローラー本体１６とランナー軸１３との間に配置されるベアリング１７とで構成してあり、両ローラー１４・１５は同形同大の共通部品からなる。
【００２９】
ローラー本体１６は、ベアリング１７を収容する筒壁１８と、筒壁１８の側からランナー軸１３へ向かって傾斜する筒端壁１９とを一体に備えたプラスチック成形品からなる。筒端壁１９の外周面は、筒壁１８の側からランナー軸１３へ向かってすぼまるテーパー面で形成してあり、その中央にカラー２１用の挿通穴が形成してある。この実施例におけるベアリング１７は、戸パネルＰ１・Ｐ２の重量が比較的軽量であるので、ラジアル型のボールベアリングである場合を示しているが、戸パネルＰ１・Ｐ２の重量が大きい場合には、アンギュラー型のボールベアリングやスラスト型のベアリングを使用することができる。ベアリング１７の外輪は筒壁１８の内面に圧入してある。符号２０は先のローラー受部１０で接当支持される転動部であり、この実施例における転動部２０は、テーパー面からなる筒端壁１９の外周面上にある。符号２１はカラー（ディスタンスカラー）である。
【００３０】
図４において、ランナー軸１３は丸軸状の鋼材製の旋削品からなり、その下端にフランジ２２が形成され、軸部の上半に下半側の軸部より小径のローラー軸部２３が形成してある。上ローラー１４と下ローラー１５は、カラー２１を介してローラー軸部２３に組付けてある。詳しくは、下ローラー１５のベアリング１７の内輪をローラー軸部２３に嵌合したのち、カラー２１を同軸部２３に外嵌し、さらに上ローラー１４のベアリング１７の内輪をローラー軸部２３に嵌合する。この状態で、ベアリング押え２４をベアリング１７の内輪に嵌込み、ベアリング押え２４に挿通したビス２５を、ローラー軸部２３の軸端のねじ穴にねじ込む。これにより、上ローラー１４とカラー２１と下ローラー１５の３者が、ローラー軸部２３の下端の段部とベアリング押え２４との間に挟み固定される。この状態の上ローラー１４と下ローラー１５は、それぞれの筒端壁１９が上下に対向する状態で隣接配置されて、それぞれベアリング１７で独立回転可能に支持されている。
【００３１】
上記のように構成したランナー６は、上ローラー１４がローラー溝１１に収容される状態で、予めガイドレール２に組込んでおく。この実施例では２組のパネル対の両側端をそれぞれランナー６で吊持するので、合計４個のランナー６をガイドレール２に組込んでおく。ガイドレール２に組込んだ状態におけるランナー６の下ローラー１５は、その殆どの部分がガイドレール２の下面側に露出しており、上ローラー１４と下ローラー１５は、それぞれの筒端壁１９がレール壁９を間にして上下に対向している。
【００３２】
戸パネルＰ１・Ｐ２を各ランナー軸１３に吊り込むために、各戸パネルＰ１・Ｐ２の側端の上隅部分に吊込みユニットを設けている。図５および図６に示すように吊込みユニットは、各戸パネルＰ１・Ｐ２の装着凹部２９に嵌込み固定されるホルダー３０と、ホルダー３０の収容凹部３１に収容されて、往復揺動可能に支持されるロックレバー３２と、ロックレバー３２を待機位置へ向かって移動付勢する捻りコイル形のばね３３とで構成する。ロックレバー３２の一端には解除爪３４が設けてあり、解除爪３４の近傍部分が揺動ピン３５で軸支してある。ロックレバー３２の他端には、ランナー軸１３の軸周面を捕捉係合するＬ字状の捕捉段部３６が形成してある。収容凹部３１は、ロックレバー３２およびランナー軸１３を受け入れる上凹部３１ａと、フランジ２２を受け入れる下凹部３１ｂとからなり、両者の隣接部分に形成される係合段壁３７によってフランジ２２の上面を支持する（図６参照）。常態におけるロックレバー３２は、図８（ａ）に示すように捕捉段部３６が上収容部３４ａの内周面に接当して、ランナー軸１３の出入りする領域を斜めに横切っている。図３において符号３８は、ホルダー３０のフランジ壁を締結するビスである。
【００３３】
図３において、振止具７は、ケース４０の内部に振止軸４１と、振止軸４１を下向きに押し出し付勢するばね４２とを収容し、ケース４０の下部に突出する軸４３の下端に遊転自在なローラー４４を組み付けて構成する。ローラー４４の回転周面を床面に埋め込んだガイドレール３で移行案内することにより、戸パネルＰ１・Ｐ２の前後傾動を規制できる。
【００３４】
戸パネルＰ１・Ｐ２を各ランナー軸１３に吊り込む場合には、図７に示すように、ローラー溝１１の内部で隣接する上ローラー１４の間に牽制具４６を配置して、ランナー６の隣接距離を所定の状態に設定する。次に、振止具７を床面側のガイドレール３に組み付けて、戸パネルＰ１・Ｐ２の下面が床面で受け止められた状態で、二つ折りにしたパネル対をガイドレール２と交差する向きに起立操作する。起立操作したパネル対Ｐ１・Ｐ２の遊端を、図７（ａ・ｂ）に示すようにガイドレール２と交差させ、さらに一対のランナー軸１３に向かって折りたたみ操作して、隣接するランナー軸１３を戸パネルＰ１・Ｐ２の対向面で同時に挟み保持する。
【００３５】
さらに、パネル対の上端をガイドレール２にあてがった状態のままで、同レール２と交差する向き（手前側）に移動させて、図８（ｂ）に示すように、ランナー軸１３を収容凹部３１に落とし込み係合する。引続き戸パネルＰ１・Ｐ２を接近移動操作して、ランナー軸１３を収容凹部３１の内奥へ相対移動させる。その過程で、ランナー軸１３は、図８（ｂ）に示すようにロックレバー３２をばね３３の付勢力に抗してロック解除方向へ変位させながら、収容凹部３１の内奥へ入り込む。そして、ランナー軸１３がロックレバー３２の揺動先端側を乗り越えるのと同時に、図８（ｃ）に示すようにフランジ２２が先の係合段壁３７で受け止められ、さらにランナー軸１３の軸周面が捕捉段部３６で係合捕捉される。これにより、各戸パネルＰ１・Ｐ２が吊込みユニットを介してランナー軸１３に吊り込まれる。最後に、牽制具４６をガイドレール２から取り外す。
【００３６】
上記のように、吊込みユニットを介して戸パネルＰ１・Ｐ２をランナー軸１３に吊り込む形態の折り戸は、以下の形態で実施することができる。ランナー軸１３の下部を、戸パネルＰ１・Ｐ２に埋設した吊込みユニットを介して戸パネルＰ１・Ｐ２に連結する。吊込みユニットは、戸パネルＰ１・Ｐ２に装着されるホルダー３０と、ホルダー３０の収容凹部３１に収容されてランナー軸１３と交差する向きに往復揺動可能に支持されるロックレバー３２と、ロックレバー３２をランナー軸１３と係合する向きに移動付勢するばね３３とを含む。収容凹部３１の内奥には、ランナー軸１３の下端に設けたフランジ２２を受け止める係合段壁３７が設けられており、ロックレバー３２の揺動先端には、ランナー軸１３の軸周面を係合捕捉する捕捉段部３６が設けてある。収容凹部３１に係合されたランナー軸１３を、捕捉段部３６と係合段壁３７とで抜外れ不能に係合保持して、戸パネルＰ１・Ｐ２をランナー軸１３に吊り込む。
【００３７】
上記のように戸パネルＰ１・Ｐ２をランナー軸１３に吊り込んで、各パネル対をそれぞれ展開して開口面を閉じた状態では、戸パネルＰ１・Ｐ２はガイドレール２の真下に位置しているので、戸パネルＰ１・Ｐ２の荷重は、ランナー軸１３に対してその中心軸に沿って垂直に作用している。そのため、上ローラー１４の筒端壁１９は、図６に示すように前後のレール壁９の突端上面で支持され、下ローラー１５の転動部２０は前後のレール壁９の下面と小さな隙間を介して対向している。
【００３８】
上記の閉じ状態から、左右のパネル対のいずれか一方の把手５を掴んで前側へ引寄せ操作すると、戸パネルＰ１・Ｐ２は、両側のランナー６が互いに接近する向きに移動して、徐々に折りたたまれながら、ヒンジ４で連結された側のパネル面がガイドレール２から前方へ突出する。そのため、戸パネルＰ１・Ｐ２が屈折し始めるのと同時に、前下がり方向の傾動モーメントがランナー６に作用する。図１に示すように、傾動モーメントを受けてランナー軸１３が傾動した状態では、上ローラー１４の筒端壁１９の下面一部が前側のレール壁９の突端の上隅で支持され、下ローラー１５の転動部２０が後側のレール壁９の下面のローラー受部１０で支持される。
【００３９】
以後、左右のランナー６は、上ローラー１４が前側のレール壁９の上面に沿って転動し、下ローラー１５が後側のローラー受部１０に沿って上ローラー１４とは逆向きに転動しながら、戸パネルＰ１・Ｐ２の折たたみ動作に追随して接近移動する。つまり、ランナー６は傾動モーメントを受けて傾動姿勢に保持された状態で、戸パネルＰ１・Ｐ２の開閉動作に追随して開閉移動する。なお、図１ではランナー軸１３が傾動している状態を理解しやすくするために、ランナー軸１３の傾動角度を誇張して表現しているが、実際には図１で示すほどランナー軸１３が傾動することはない。
【００４０】
上ローラー１４と下ローラー１５が、レール壁９とローラー受部１０で受止められるときのランナー軸１３の前後方向の傾動角度は、振止具７が下側のガイドレール（レール体）３で受止められるときの規制角度の範囲内にあればよい。詳しくは図９に示すように、ガイドレール３と振止具７とが接当して、戸パネルＰ１・Ｐ２の傾動を規制するときの規制角度をθ１とし、下ローラー１５がローラー受部１０で受止められるときのランナー軸１３の傾動角度をθ２とするとき、不等式（θ２＜＝θ１）を満足するように規制角度θ１と傾動角度θ２を設定しておくとよい。
【００４１】
戸パネルＰ１・Ｐ２を開閉するとき、ランナー軸１３は傾動モーメントを受けて僅かに傾動しているが、上ローラー１４と下ローラー１５が前側のレール壁９と後側のローラー受部１０で受止められているので、ランナー軸１３の傾動角度θ２がそれ以上大きくなることはない。しかし、ランナー軸１３の戸パネルＰ１・Ｐ２との連結部における遊びや、振止具７とガイドレール３との位置ずれなどによって、ランナー軸１３が傾動角度θ２を越えて傾動することがある。あるいは、戸パネルＰ１・Ｐ２が乱暴に開閉操作されて、ランナー軸１３が傾動角度θ２を越えて傾動することがある。こうした場合に、振止具７をガイドレール３で受止めて、戸パネルＰ１・Ｐ２が規制角度θ１をこえて傾動するのを規制している。このように、ランナー６に作用する傾動モーメントは、下ローラー１５が上ローラー１４と協同して負担し、あるいは振止具７が負担する。
【００４２】
上記のようにランナー６は、傾動モーメントを受けてランナー軸１３が僅かに傾動した状態で、戸パネルＰ１・Ｐ２の折畳み動作に追随して移動する。従って、２輪構造のランナー６で戸パネルＰ１・Ｐ２を支持しているにも拘らず、下ローラー１５がローラー受部１０から浮き離れることはなく、また、ランナーが回転できない状態のまま引き摺られることもないので、両ローラー１４・１５を常に円滑に回転させながら戸パネルＰ１・Ｐ２を軽快に開閉できる。
【００４３】
また、２輪構造のランナー６で戸パネルＰ１・Ｐ２を吊持するので、４輪構造のランナーに比べてランナー６の構造の簡素化と小形化を実現できる。さらに、４輪構造のランナーを案内するガイドレールに比べて、ガイドレール２の前後幅を小さくできる。また、前側のレール壁９で上ローラー１４を移行案内し、下側のレール壁９に設けたローラー受部１０で下ローラー１５を移行案内するので、２輪構造のランナーを案内する従来のガイドレールに比べて、ガイドレール２の構造を簡素化しながら、上下寸法を半分程度にまで小さくできる。下ローラー１５の殆どの部分をガイドレール２の下面側に露出させることも、ガイドレール２の上下寸法を小さくすることに大きく寄与して、全体としてガイドレール２の小形化とコンパクト化を同時に実現できる。従って、ランナー６の構造の簡素化と小形化を実現できることによるコストの削減効果と、ガイドレール２の小形化とコンパクト化を実現できることによるコストの削減効果とによって、折り戸の全体コストを削減できる。
【００４４】
ガイドレール２の構造を簡素化し小形化することに伴い、ガイドレール２を開口枠１に埋設するための溝加工の手間を軽減できるので、この点でも折り戸のコストの削減に寄与できる。さらに、ガイドレール２を小形化することにより、その外観が目立つのを抑止できるので、ガイドレール２の印象を小さくすっきりしたものとして見栄えを向上できる。前後のレール壁９の上面に付着した塵埃を、上ローラー１４の回転動作で払い落とすことができるので、レール壁９の上面に塵埃が堆積するのを解消でき、塵埃が上ローラー１４の転動面に噛み込まれて騒音を発生することもない。
【００４５】
図１０ないし図１３は、それぞれガイドレール２およびランナー６の構造の一部を変更した別実施例を示しており、各図において符合Ｍは、ランナー６に作用する傾動モーメントを示している。なお、図１０ないし図１３においては、図１と同様にランナー軸１３の傾動姿勢を誇張して表現している。
【００４６】
図１０に示すランナー６の吊持構造においては、ガイドレール２のレール壁９より下側の後壁の厚みを大きくして、この厚肉部分をローラー受部１０とした。ランナー軸１３に傾動モーメントが作用して、ランナー６が傾動する状態では、下ローラー１５の筒壁１８の周面上部の転動部２０が、厚肉部分の下隅のローラー受部１０で回転可能に案内支持された状態で下ローラー１５が転動する。このように、ガイドレール２の後壁に設けたローラー受部１０で下ローラー１５を受止める場合には、後側のレール壁９は省略することができる。他は先の実施例と同じであるので、同じ部材に同じ符号を付してその説明を省略する。図１０から図１２の実施例においても同じとする。
【００４７】
図１１に示す上ローラー１４と下ローラー１５においては、ローラー本体１６を筒壁１８と、同壁１８と直交する底壁４８とで形成した。また、レール壁９を突端へ向かってすぼまる断面Ｖ字状に形成した。傾動モーメントを受けてランナー６が傾動している状態では、上ローラー１４は、その筒壁１８と底壁４８とに挟まれた外隅部分が、前側のレール壁９の上面で受止められて回転可能に案内支持される。また、下ローラー１５は、その筒壁１８と底壁４８とに挟まれた外隅の転動部２０が、後側のレール壁９の下面のローラー受部１０で受止められて回転可能に案内支持される。
【００４８】
図１２に示すランナー６は、実施例で説明したランナー６と同じである。ガイドレール２の前後壁には、実施例で説明したガイドレールと同様に、一対のレール壁９を互いに対向する状態で張り出し形成するが、前後のレール壁９を段違い状に形成する点が異なる。詳しくは、後壁側のレール壁９の形成高さ位置を、前壁側のレール壁９の形成高さ位置より下側に位置させた。両レール壁９の形成高さ位置の差（段差）を符号Ｈで示している。傾動モーメントを受けてランナー６が傾動している状態では、上ローラー１４の筒端壁１９の転動面が、前側のレール壁９の突端の上隅部分で回転可能に案内支持される。また、下ローラー１５の筒端壁１９の転動部２０が、後側のレール壁９の突端の下隅で回転可能に案内支持される。
【００４９】
図１３に示すランナー６は、下ローラー１５の直径寸法を上ローラー１４の直径寸法より小さくして、下ローラー１５の一部がローラー溝１１内に入込むようにした。これに伴いカラー２１の下半部の直径を小さくした。各ローラー１４・１５のローラー本体１６の構造は、図１１で説明したローラー本体１６と同じ構造とした。ガイドレール２の前壁には断面が台形状のレール壁９を設けて、その上面をレール壁９の基端部から突端部へ向かって下り傾斜させた。
【００５０】
また、ガイドレール２の後壁に水平のレール壁９を張出して、その突端の丸められた部分をローラー受部１０とした。傾動モーメントを受けてランナー６が傾動している状態では、上ローラー１４の筒壁１８と底壁４８とに挟まれた外隅部分が、前側のレール壁９の下り傾斜面で回転可能に案内支持される。さらに、下ローラー１５は、その筒壁１８の周面上部の転動部２０が、レール壁９の突端のローラー受部１０で回転可能に案内支持された状態で転動する。
【００５１】
上記の各実施例から理解できるように、ローラー受部１０、あるいは転動部２０として機能する部位は、下ローラー１５の構造の違い、およびガイドレール２の内面の構造の違いによって様々に変化することになる。なお、ローラー受部１０は、上ローラー１４を案内支持するレール壁９と対向するレール内面のうち、下ローラー１５を案内支持するレール壁９と、レール本体８の後側の縦壁とのいずれかに設けてあればよい。レール壁９とは別のリブ状の突起にローラー受部１０を設けてもよい。
【００５２】
上記の実施例以外に、上ローラー１４および下ローラー１５は、レール壁９あるいはローラー受部１０に対して線接触状に接触させることができ、その場合には、例えばレール壁９の断面をくさび形状に形成し、その傾斜角度を筒端壁１９の転動面の傾斜角度と一致させておくとよい。図１３で説明したように、上ローラー１４と下ローラー１５とは同一部品である必要はなく、各ローラー１４・１５の構造およびローラー本体１６の直径が異なっていてもよい。また、戸パネルＰ１・Ｐ２の荷重が作用する上ローラー１４のベアリング１７をスラストベアリングで構成し、下ローラー１５のベアリング１７をラジアル型のボールベアリングや、丸筒状のすべり軸受で構成することができる。筒端壁１９の外周面は部分球面状に形成することができる。
【００５３】
上記の実施例では、折り戸がフリー折り戸である場合について説明したがその必要はなく、開口枠１の縦枠に臨む折り戸の一側端が、ピボット構造で回転のみ自在に支持してある折り戸や、アコーディオン構造の折り戸であってもよい。振止具７を床面側に設け、ガイドレールあるいはガイド溝を戸パネルＰ１・Ｐ２側に設けることができる。なお、本発明で説明したランナー６は、折り戸用のランナーとして使用する以外に、間仕切り用の戸パネルや引戸構造の戸パネルを吊持する２輪構造のランナーとして使用することができる。
【符号の説明】
【００５４】
１  開口枠
２  ガイドレール
６  ランナー
８  レール本体
９  レール壁
１０  ローラー受部
１１  ローラー溝
１３  ランナー軸
１４  上ローラー
１５  下ローラー
１６  ローラー本体
１７  ベアリング
１８  筒壁
１９  筒端壁
２０  転動部
２１  カラー（ディスタンスカラー）
【図１】
2014118679.tif 000003
【図２】
2014118679.tif 000004
【図３】
2014118679.tif 000005
【図４】
2014118679.tif 000006
【図５】
2014118679.tif 000007
【図６】
2014118679.tif 000008
【図７】
2014118679.tif 000009
【図８】
2014118679.tif 000010
【図９】
2014118679.tif 000011
【図１０】
2014118679.tif 000012
【図１１】
2014118679.tif 000013
【図１２】
2014118679.tif 000014
【図１３】
2014118679.tif 000015